(57)【特許請求の範囲】
【請求項１】
入力装置であって、
個々に入力のオンオフが可能な２つ以上のボタンと、
前記入力装置を制御する制御部と、
を備え、
前記制御部は、前記各ボタンの検出結果が予め定められたパターンを含む場合はフリック入力に相当する出力を実行し、前記予め定められたパターンを含まない場合は前記各ボタンの検出結果をそのまま出力し、
前記予め定められたパターンは、前記２つ以上のボタンのうち、一つのボタンのオンオフを少なくとも１回以上検出した後、他のボタンのオンを検出したことであり、
前記２つ以上のボタンは、決定ボタンと、上下左右のそれぞれに対応した方向ボタンと、を含み、
前記予め定められたパターンは、
前記決定ボタンのオンオフを検出した後、前記方向ボタンのうちのいずれか１つのオンを検出したことである、入力装置。
【請求項２】
請求項１に記載の入力装置であって、
前記予め定められたパターンは、
前記決定ボタンのオンオフを検出した後、予め定められた第１の時間内に、前記方向ボタンのうちのいずれか１つのオンを検出したことである、入力装置。
【請求項３】
請求項１に記載の入力装置であって、
前記予め定められたパターンは、
前記決定ボタンのオンを検出した後、予め定められた第２の時間の経過後に前記決定ボタンのオフを検出し、その後、前記方向ボタンのうちのいずれか１つのオンを検出したことである、入力装置。
【請求項４】
入力装置であって、
個々に入力のオンオフが可能な２つ以上のボタンと、
前記入力装置を制御する制御部と、
を備え、
前記制御部は、前記各ボタンの検出結果が予め定められたパターンを含む場合はフリック入力に相当する出力を実行し、前記予め定められたパターンを含まない場合は前記各ボタンの検出結果をそのまま出力し、
前記予め定められたパターンは、前記２つ以上のボタンのうち、一つのボタンのオンオフを少なくとも１回以上検出した後、他のボタンのオンを検出したことであり、
前記２つ以上のボタンは、決定ボタンと、上下左右のそれぞれに対応した方向ボタンと、を含み、
前記予め定められたパターンは、
前記決定ボタンのオンオフを２回検出した後、前記方向ボタンのうちのいずれか１つのオンを検出したことである、入力装置。
【請求項５】
請求項１から請求項４のいずれか一項に記載の入力装置であって、
前記２つ以上のボタンは、各前記方向ボタンが、前記決定ボタンを中心として上下左右方向にそれぞれ配置された十字キーである、入力装置。
【請求項６】
請求項１から請求項５のいずれか一項に記載の入力装置であって、
各前記２つ以上のボタンは、機械接点式のボタン、または、静電容量式のボタンである、入力装置。
【請求項７】
請求項１から請求項６のいずれか一項に記載の入力装置であって、さらに、
使用者の頭部に装着されることで前記使用者に虚像を視認させる画像表示部に接続するためのインターフェイスを備え、
前記制御部は、さらに、
画像光を生成し、生成した前記画像光を前記画像表示部へ出力する機能と、
種々のアプリケーションの実行を可能とするオペレーティングシステムと、を含み、
前記制御部は、前記フリック入力に相当する出力または前記検出結果を、前記アプリケーションと前記オペレーティングシステムとのうちの少なくとも一方へ出力する、入力装置。
【請求項８】
請求項１から請求項６のいずれか一項に記載の入力装置であって、
前記制御部は、さらに、種々のアプリケーションの実行を可能とするオペレーティングシステムを含み、
前記制御部は、前記フリック入力に相当する出力または前記検出結果を、前記アプリケーションと前記オペレーティングシステムとのうちの少なくとも一方へ出力する、入力装置。
【請求項９】
請求項１から請求項６のいずれか一項に記載の入力装置であって、さらに、
外部装置に接続するためのインターフェイスを備え、
前記制御部は、前記フリック入力に相当する出力または前記検出結果を、前記インターフェイスを介して前記外部装置へ出力する、入力装置。
【請求項１０】
個々に入力のオンオフが可能な２つ以上のボタンを用いた入力方法であって、
コンピューターが、前記各ボタンの検出結果が予め定められたパターンを含む場合はフリック入力に相当する出力を実行し、前記予め定められたパターンを含まない場合は前記各ボタンの検出結果をそのまま出力する工程を備え、
前記予め定められたパターンは、前記２つ以上のボタンのうち、一つのボタンのオンオフを少なくとも１回以上検出した後、他のボタンのオンを検出したことであり、
前記２つ以上のボタンは、決定ボタンと、上下左右のそれぞれに対応した方向ボタンと、を含み、
前記予め定められたパターンは、
前記決定ボタンのオンオフを検出した後、前記方向ボタンのうちのいずれか１つのオンを検出したことである、入力方法。
【請求項１１】
コンピュータープログラムであって、
個々に入力のオンオフが可能な２つ以上のボタンにおける、前記各ボタンの検出結果が予め定められたパターンを含む場合はフリック入力に相当する出力を実行し、前記予め定められたパターンを含まない場合は前記各ボタンの検出結果をそのまま出力する機能を備え、
前記予め定められたパターンは、前記２つ以上のボタンのうち、一つのボタンのオンオフを少なくとも１回以上検出した後、他のボタンのオンを検出したことであり、
前記２つ以上のボタンは、決定ボタンと、上下左右のそれぞれに対応した方向ボタンと、を含み、
前記予め定められたパターンは、
前記決定ボタンのオンオフを検出した後、前記方向ボタンのうちのいずれか１つのオンを検出したことである、コンピュータープログラム。
【請求項１２】
個々に入力のオンオフが可能な２つ以上のボタンを用いた入力方法であって、
コンピューターが、前記各ボタンの検出結果が予め定められたパターンを含む場合はフリック入力に相当する出力を実行し、前記予め定められたパターンを含まない場合は前記各ボタンの検出結果をそのまま出力する工程を備え、
前記予め定められたパターンは、前記２つ以上のボタンのうち、一つのボタンのオンオフを少なくとも１回以上検出した後、他のボタンのオンを検出したことであり、
前記２つ以上のボタンは、決定ボタンと、上下左右のそれぞれに対応した方向ボタンと、を含み、
前記予め定められたパターンは、
前記決定ボタンのオンオフを２回検出した後、前記方向ボタンのうちのいずれか１つのオンを検出したことである、入力方法。
【請求項１３】
コンピュータープログラムであって、
個々に入力のオンオフが可能な２つ以上のボタンにおける、前記各ボタンの検出結果が予め定められたパターンを含む場合はフリック入力に相当する出力を実行し、前記予め定められたパターンを含まない場合は前記各ボタンの検出結果をそのまま出力する機能を備え、
前記予め定められたパターンは、前記２つ以上のボタンのうち、一つのボタンのオンオフを少なくとも１回以上検出した後、他のボタンのオンを検出したことであり、
前記２つ以上のボタンは、決定ボタンと、上下左右のそれぞれに対応した方向ボタンと、を含み、
前記予め定められたパターンは、
前記決定ボタンのオンオフを２回検出した後、前記方向ボタンのうちのいずれか１つのオンを検出したことである、コンピュータープログラム。
【発明の詳細な説明】
【技術分野】
【０００１】
本発明は、入力装置に関する。
【背景技術】
【０００２】
スマートフォン等の機器における入力方法の１つとして、フリック入力が知られている（例えば、特許文献１参照）。フリック入力とは、タッチパッド上で指を素早く動かしたり弾いたりして行う操作全般のことを意味する。このフリック入力は、例えば、ソフトウェアキーボードを利用した文字入力を素早く実現できる手段として知られている。
【先行技術文献】
【特許文献】
【０００３】
【特許文献１】特開２０１３−３３３９５号公報
【発明の概要】
【発明が解決しようとする課題】
【０００４】
フリック入力を行うためには、入力装置において、例えばタッチパッドやタッチパネルといった、指等の軌跡を取得可能なセンサーデバイスを備えることが必要とされる。一方、例えば十字キーと幾つかのボタンを備えるリモコンやコントローラーといった、指等の軌跡を取得可能なセンサーデバイスを備えない入力装置も数多く存在する。従来、このような入力装置ではフリック入力を実現することはできないという課題があった。
【０００５】
このため、指等の軌跡を取得可能なセンサーデバイスを使用せずにフリック入力を行うことのできる入力装置が望まれていた。
【課題を解決するための手段】
【０００６】
本発明は、上述の課題の少なくとも一部を解決するためになされたものであり、以下の形態として実現することが可能である。
本発明の一形態によれば、入力装置が提供される。この入力装置は、個々に入力のオンオフが可能な２つ以上のボタンと、前記入力装置を制御する制御部と、を備え、前記制御部は、前記各ボタンの検出結果が予め定められたパターンを含む場合はフリック入力に相当する出力を実行し、前記予め定められたパターンを含まない場合は前記各ボタンの検出結果をそのまま出力し、前記予め定められたパターンは、前記２つ以上のボタンのうち、一つのボタンのオンオフを少なくとも１回以上検出した後、他のボタンのオンを検出したことであり、前記２つ以上のボタンは、決定ボタンと、上下左右のそれぞれに対応した方向ボタンと、を含み、前記予め定められたパターンは、前記決定ボタンのオンオフを検出した後、前記方向ボタンのうちのいずれか１つのオンを検出したことである。
この形態の入力装置によれば、個々に入力のオンオフが可能な２つ以上のボタンにおいて、各ボタンの検出結果が予め定められたパターンを含む場合はフリック入力に相当する出力がなされる。このため、使用者は、指等の軌跡を取得可能なセンサーデバイスを使用せずにフリック入力を行うことができる。またこの形態の入力装置によれば、決定ボタンが押下（またはタッチ）され、その後、方向ボタンのうちのいずれか１つが押下（またはタッチ）された際、換言すれば、押下／タッチを挟んだ指の移動に伴って、フリック入力に相当する出力がなされる。この結果、使用者は、実際のフリック動作に模した指の移動動作によってフリック入力を行うことができる。
本発明の他の一形態によれば、入力装置が提供される。この入力装置は、個々に入力のオンオフが可能な２つ以上のボタンと、前記入力装置を制御する制御部と、を備え、前記制御部は、前記各ボタンの検出結果が予め定められたパターンを含む場合はフリック入力に相当する出力を実行し、前記予め定められたパターンを含まない場合は前記各ボタンの検出結果をそのまま出力し、前記予め定められたパターンは、前記２つ以上のボタンのうち、一つのボタンのオンオフを少なくとも１回以上検出した後、他のボタンのオンを検出したことであり、前記２つ以上のボタンは、決定ボタンと、上下左右のそれぞれに対応した方向ボタンと、を含み、前記予め定められたパターンは、前記決定ボタンのオンオフを２回検出した後、前記方向ボタンのうちのいずれか１つのオンを検出したことである。この形態の入力装置によれば、個々に入力のオンオフが可能な２つ以上のボタンにおいて、各ボタンの検出結果が予め定められたパターンを含む場合はフリック入力に相当する出力がなされる。このため、使用者は、指等の軌跡を取得可能なセンサーデバイスを使用せずにフリック入力を行うことができる。またこの形態の入力装置によれば、決定ボタンの押下（またはタッチ）が２回された後に方向ボタンの押下（またはタッチ）がされた場合に限り、フリック入力に相当する出力がなされる。このため使用者は、通常の決定−方向入力と、フリック入力とを使い分けることができる。
【０００７】
（１）本発明の一形態によれば、入力装置が提供される。この入力装置は；個々に入力のオンオフが可能な２つ以上のボタンと；前記入力装置を制御する制御部と、を備え；前記制御部は、前記各ボタンの検出結果が予め定められたパターンを含む場合はフリック入力に相当する出力を実行し、前記予め定められたパターンを含まない場合は前記各ボタンの検出結果をそのまま出力する。
この形態の入力装置によれば、個々に入力のオンオフが可能な２つ以上のボタンにおいて、各ボタンの検出結果が予め定められたパターンを含む場合はフリック入力に相当する出力がなされる。このため、使用者は、指等の軌跡を取得可能なセンサーデバイスを使用せずにフリック入力を行うことができる。
【０００８】
（２）上記形態の入力装置において；前記２つ以上のボタンは、決定ボタンと、上下左右のそれぞれに対応した方向ボタンと、を含み；前記予め定められたパターンは；前記決定ボタンのオンオフを検出した後、前記方向ボタンのうちのいずれか１つのオンを検出したこと、としてもよい。
この形態の入力装置によれば、決定ボタンが押下（またはタッチ）され、その後、方向ボタンのうちのいずれか１つが押下（またはタッチ）された際、換言すれば、押下／タッチを挟んだ指の移動に伴って、フリック入力に相当する出力がなされる。この結果、使用者は、実際のフリック動作に模した指の移動動作によってフリック入力を行うことができる。
【０００９】
（３）上記形態の入力装置において；前記予め定められたパターンは；前記決定ボタンのオンオフを検出した後、予め定められた第１の時間内に、前記方向ボタンのうちのいずれか１つのオンを検出したこと、としてもよい。
この形態の入力装置によれば、決定ボタンの押下（またはタッチ）と方向ボタンの押下（またはタッチ）との間が第１の時間内である場合に限り、フリック入力に相当する出力がなされる。この第１の時間を適切に設定することで、使用者は、通常の決定−方向入力と、フリック入力とを使い分けることができる。
【００１０】
（４）上記形態の入力装置において；前記予め定められたパターンは；前記決定ボタンのオンを検出した後、予め定められた第２の時間経過後に前記決定ボタンのオフを検出し、その後、前記方向ボタンのうちのいずれか１つのオンを検出したこと、としてもよい。
この形態の入力装置によれば、決定ボタンの押下（またはタッチ）開始から決定ボタンの押下（またはタッチ）終了までの間が第２の時間より長い場合に限り、フリック入力に相当する出力がなされる。この第２の時間を適切に設定することで、使用者は、ボタン長押しを契機として意識的に、通常の決定−方向入力と、フリック入力とを使い分けることができる。
【００１１】
（５）上記形態の入力装置において；前記２つ以上のボタンは、決定ボタンと、上下左右のそれぞれに対応した方向ボタンと、を含み；前記予め定められたパターンは；前記決定ボタンのオンオフを２回検出した後、前記方向ボタンのうちのいずれか１つのオンを検出したこと、としてもよい。
この形態の入力装置によれば、決定ボタンの押下（またはタッチ）が２回された後に方向ボタンの押下（またはタッチ）がされた場合に限り、フリック入力に相当する出力がなされる。このため使用者は、通常の決定−方向入力と、フリック入力とを使い分けることができる。
【００１２】
（６）上記形態の入力装置において；前記２つ以上のボタンは、各前記方向ボタンが、前記決定ボタンを中心として上下左右方向にそれぞれ配置された十字キーとしてもよい。
この形態の入力装置によれば、決定ボタンと方向ボタンとを、使用者が直感的に把握および操作しやすい十字キーとして構成することができる。
【００１３】
（７）上記形態の入力装置において；各前記２つ以上のボタンは、機械接点式のボタン、または、静電容量式のボタンとしてもよい。
この形態の入力装置によれば、機械接点式のボタン、または、静電容量式のボタンのいずれを用いても入力装置を構成することができる。
【００１４】
（８）上記形態の入力装置において、さらに；使用者の頭部に装着されることで前記使用者に虚像を視認させる画像表示部に接続するためのインターフェイスを備え；前記制御部は、さらに；画像光を生成し、生成した前記画像光を前記画像表示部へ出力する機能と；種々のアプリケーションの実行を可能とするオペレーティングシステムと、を含み；前記制御部は、前記フリック入力に相当する出力または前記検出結果を、前記アプリケーションと前記オペレーティングシステムとのうちの少なくとも一方へ出力してもよい。
この形態の入力装置では、入力装置を、画像表示装置を操作および制御するコントローラーとして構成することができる。
【００１５】
（９）上記形態の入力装置において；前記制御部は、さらに、種々のアプリケーションの実行を可能とするオペレーティングシステムを含み；前記制御部は、前記フリック入力に相当する出力または前記検出結果を、前記アプリケーションと前記オペレーティングシステムとのうちの少なくとも一方へ出力してもよい。
この形態の入力装置では、入力装置を、種々のアプリケーションを実行可能なコンピューターとして構成することができる。
【００１６】
（１０）上記形態の入力装置において、さらに；外部装置に接続するためのインターフェイスを備え；前記制御部は、前記フリック入力に相当する出力または前記検出結果を、前記インターフェイスを介して前記外部装置へ出力してもよい。
この形態の入力装置では、入力装置を、外部装置に対する入力を行うデバイスとして構成することができる。
【００１７】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１８】
なお、本発明は、種々の態様で実現することが可能であり、例えば、入力装置、入力装置と画像表示部とを組み合わせた頭部装着型表示装置、入力装置と頭部装着型表示装置とを組み合わせたシステム、入力装置と情報処理装置とを組み合わせたシステム、入力方法、これらの装置、システム、方法の機能を実現するためのコンピュータープログラム、そのコンピュータープログラムを配布するためのサーバー装置、そのコンピュータープログラムを記憶した記憶媒体等の形態で実現することができる。
【図面の簡単な説明】
【００１９】
【図１】本発明の一実施形態におけるＨＭＤの外観構成を示す図である。
【図２】画像表示部が備える光学系の構成を示す要部平面図である。
【図３】使用者から見た画像表示部の要部構成を示す図である。
【図４】カメラの画角を説明するための図である。
【図５】ＨＭＤの構成を機能的に示すブロック図である。
【図６】ＨＭＤの制御機能部の構成を機能的に示すブロック図である。
【図７】十字キーについて説明する図である。
【図８】十字キーを用いたフリック入力の方法について説明する図である。
【図９】入出力制御部がフリック入力に相当する出力を行う操作パターンの例を示す図である。
【図１０】パターンの操作について説明する図である。
【図１１】パターンの操作について説明する図である。
【図１２】パターンの操作について説明する図である。
【図１３】パターンの操作および操作について説明する図である。
【図１４】十字キーの他の構成について説明する図である。
【図１５】十字キーの他の構成について説明する図である。
【図１６】十字キーの他の構成について説明する図である。
【図１７】変形例の画像表示部が備える光学系の構成を示す要部平面図である。
【発明を実施するための形態】
【００２０】
Ａ．実施形態：
Ａ−１．ＨＭＤの構成：
図１は、本発明の一実施形態におけるＨＭＤ（頭部装着型表示装置、Head Mounted Display）１００の外観構成を示す図である。ＨＭＤ１００は、使用者の頭部に装着された状態で使用者に虚像を視認させる画像表示部２０（表示部）と、画像表示部２０を制御する制御装置１０（制御部）と、を備える表示装置である。制御装置１０は、使用者の操作を取得するための各種の入力デバイスを備え、使用者がＨＭＤ１００を操作するためのコントローラーとして機能する。また、本実施形態の制御装置１０は、指等の軌跡を取得可能なセンサーデバイスを使用せずにフリック入力を行うことができる「入力装置」としても機能する。
【００２１】
画像表示部２０は、使用者の頭部に装着される装着体であり、本実施形態では眼鏡形状を有する。画像表示部２０は、右保持部２１と、左保持部２３と、前部フレーム２７とを有する本体に、右表示ユニット２２と、左表示ユニット２４と、右導光板２６と、左導光板２８とを備える。
【００２２】
右保持部２１および左保持部２３は、それぞれ、前部フレーム２７の両端部から後方に延び、眼鏡のテンプル（つる）のように、使用者の頭部に画像表示部２０を保持する。ここで、前部フレーム２７の両端部のうち、画像表示部２０の装着状態において使用者の右側に位置する端部を端部ＥＲとし、使用者の左側に位置する端部を端部ＥＬとする。右保持部２１は、前部フレーム２７の端部ＥＲから、画像表示部２０の装着状態における使用者の右側頭部に対応する位置まで延伸して設けられている。左保持部２３は、前部フレーム２７の端部ＥＬから、画像表示部２０の装着状態における使用者の左側頭部に対応する位置まで延伸して設けられている。
【００２３】
右導光板２６および左導光板２８は、前部フレーム２７に設けられている。右導光板２６は、画像表示部２０の装着状態における使用者の右眼の眼前に位置し、右眼に画像を視認させる。左導光板２８は、画像表示部２０の装着状態における使用者の左眼の眼前に位置し、左眼に画像を視認させる。
【００２４】
前部フレーム２７は、右導光板２６の一端と左導光板２８の一端とを互いに連結した形状を有する。この連結位置は、画像表示部２０の装着状態における使用者の眉間の位置に対応する。前部フレーム２７には、右導光板２６と左導光板２８との連結位置において、画像表示部２０の装着状態において使用者の鼻に当接する鼻当て部が設けられていてもよい。この場合、鼻当て部と右保持部２１と左保持部２３とによって、画像表示部２０を使用者の頭部に保持できる。また、右保持部２１および左保持部２３に対して、画像表示部２０の装着状態において使用者の後頭部に接するベルトを連結してもよい。この場合、ベルトによって画像表示部２０を使用者の頭部に強固に保持できる。
【００２５】
右表示ユニット２２は、右導光板２６による画像の表示を行う。右表示ユニット２２は、右保持部２１に設けられ、画像表示部２０の装着状態における使用者の右側頭部の近傍に位置する。左表示ユニット２４は、左導光板２８による画像の表示を行う。左表示ユニット２４は、左保持部２３に設けられ、画像表示部２０の装着状態における使用者の左側頭部の近傍に位置する。なお、右表示ユニット２２および左表示ユニット２４を総称して「表示駆動部」とも呼ぶ。
【００２６】
本実施形態の右導光板２６および左導光板２８は、光透過性の樹脂等によって形成される光学部（例えばプリズム）であり、右表示ユニット２２および左表示ユニット２４が出力する画像光を使用者の眼に導く。なお、右導光板２６および左導光板２８の表面には、調光板が設けられてもよい。調光板は、光の波長域により透過率が異なる薄板状の光学素子であり、いわゆる波長フィルターとして機能する。調光板は、例えば、前部フレーム２７の表面（使用者の眼と対向する面とは反対側の面）を覆うように配置される。調光板の光学特性を適宜選択することにより、可視光、赤外光、および紫外光等の任意の波長域の光の透過率を調整することができ、外部から右導光板２６および左導光板２８に入射し、右導光板２６および左導光板２８を透過する外光の光量を調整できる。
【００２７】
画像表示部２０は、右表示ユニット２２および左表示ユニット２４がそれぞれ生成する画像光を、右導光板２６および左導光板２８に導き、この画像光によって虚像を使用者に視認させる（これを「画像を表示する」とも呼ぶ）。使用者の前方から右導光板２６および左導光板２８を透過して外光が使用者の眼に入射する場合、使用者の眼には、虚像を構成する画像光と、外光とが入射する。このため、使用者における虚像の視認性は、外光の強さに影響を受ける。
【００２８】
このため、例えば前部フレーム２７に調光板を装着し、調光板の光学特性を適宜選択あるいは調整することによって、虚像の視認のしやすさを調整することができる。典型的な例では、ＨＭＤ１００を装着した使用者が少なくとも外の景色を視認できる程度の光透過性を有する調光板を選択することができる。調光板を用いると、右導光板２６および左導光板２８を保護し、右導光板２６および左導光板２８の損傷や汚れの付着等を抑制する効果が期待できる。調光板は、前部フレーム２７、あるいは、右導光板２６および左導光板２８のそれぞれに対して着脱可能としてもよい。また、複数種類の調光板を交換して着脱可能としてもよく、調光板を省略してもよい。
【００２９】
カメラ６１は、画像表示部２０の前部フレーム２７に配置されている。カメラ６１は、前部フレーム２７の前面において、右導光板２６および左導光板２８を透過する外光を遮らない位置に設けられる。図１の例では、カメラ６１は、前部フレーム２７の端部ＥＲ側に配置されている。カメラ６１は、前部フレーム２７の端部ＥＬ側に配置されていてもよく、右導光板２６と左導光板２８との連結部に配置されていてもよい。
【００３０】
カメラ６１は、ＣＣＤやＣＭＯＳ等の撮像素子、および、撮像レンズ等を備えるデジタルカメラである。本実施形態のカメラ６１は単眼カメラであるが、ステレオカメラを採用してもよい。カメラ６１は、ＨＭＤ１００の表側方向、換言すれば、画像表示部２０の装着状態において使用者が視認する視界方向の、少なくとも一部の外景（実空間）を撮像する。換言すれば、カメラ６１は、使用者の視界と重なる範囲または方向を撮像し、使用者が視認する方向を撮像する。カメラ６１の画角の広さは適宜設定できる。本実施形態では、カメラ６１の画角の広さは、使用者が右導光板２６および左導光板２８を透過して視認可能な使用者の視界の全体を撮像するように設定される。カメラ６１は、制御部１５０（図５）の制御に従って撮像を実行し、得られた撮像データーを制御部１５０へ出力する。
【００３１】
ＨＭＤ１００は、予め設定された測定方向に位置する測定対象物までの距離を検出する測距センサーを備えていてもよい。測距センサーは、例えば、前部フレーム２７の右導光板２６と左導光板２８との連結部分に配置することができる。測距センサーの測定方向は、ＭＤ１００の表側方向（カメラ６１の撮像方向と重複する方向）とすることができる。測距センサーは、例えば、ＬＥＤやレーザーダイオード等の発光部と、光源が発する光が測定対象物に反射する反射光を受光する受光部と、により構成できる。この場合、三角測距処理や、時間差に基づく測距処理により距離を求める。測距センサーは、例えば、超音波を発する発信部と、測定対象物で反射する超音波を受信する受信部と、により構成してもよい。この場合、時間差に基づく測距処理により距離を求める。測距センサーはカメラ６１と同様に、制御部１５０により制御され、検出結果を制御部１５０へ出力する。
【００３２】
図２は、画像表示部２０が備える光学系の構成を示す要部平面図である。説明の便宜上、図２には使用者の右眼ＲＥおよび左眼ＬＥを図示する。図２に示すように、右表示ユニット２２と左表示ユニット２４とは、左右対称に構成されている。
【００３３】
右眼ＲＥに虚像を視認させる構成として、右表示ユニット２２は、ＯＬＥＤ（Organic Light Emitting Diode）ユニット２２１と、右光学系２５１とを備える。ＯＬＥＤユニット２２１は、画像光を発する。右光学系２５１は、レンズ群等を備え、ＯＬＥＤユニット２２１が発する画像光Ｌを右導光板２６へと導く。
【００３４】
ＯＬＥＤユニット２２１は、ＯＬＥＤパネル２２３と、ＯＬＥＤパネル２２３を駆動するＯＬＥＤ駆動回路２２５とを有する。ＯＬＥＤパネル２２３は、有機エレクトロルミネッセンスにより発光し、Ｒ（赤）、Ｇ（緑）、Ｂ（青）の色光をそれぞれ発する発光素子により構成される自発光型の表示パネルである。ＯＬＥＤパネル２２３は、Ｒ、Ｇ、Ｂの素子を１個ずつ含む単位を１画素とした複数の画素が、マトリクス状に配置されている。
【００３５】
ＯＬＥＤ駆動回路２２５は、制御部１５０（図５）の制御に従って、ＯＬＥＤパネル２２３が備える発光素子の選択および通電を実行し、発光素子を発光させる。ＯＬＥＤ駆動回路２２５は、ＯＬＥＤパネル２２３の裏面、すなわち発光面の裏側に、ボンディング等により固定されている。ＯＬＥＤ駆動回路２２５は、例えばＯＬＥＤパネル２２３を駆動する半導体デバイスで構成され、ＯＬＥＤパネル２２３の裏面に固定される基板に実装されてもよい。この基板には、後述する温度センサー２１７が実装される。なお、ＯＬＥＤパネル２２３は、白色に発光する発光素子をマトリクス状に配置し、Ｒ、Ｇ、Ｂの各色に対応するカラーフィルターを重ねて配置する構成を採用してもよい。また、Ｒ、Ｇ、Ｂの色光をそれぞれ放射する発光素子に加えて、Ｗ（白）の光を放射する発光素子を備えるＷＲＧＢ構成のＯＬＥＤパネル２２３が採用されてもよい。
【００３６】
右光学系２５１は、ＯＬＥＤパネル２２３から射出された画像光Ｌを並行状態の光束にするコリメートレンズを有する。コリメートレンズにより並行状態の光束にされた画像光Ｌは、右導光板２６に入射する。右導光板２６の内部において光を導く光路には、画像光Ｌを反射する複数の反射面が形成される。画像光Ｌは、右導光板２６の内部で複数回の反射を経て右眼ＲＥ側に導かれる。右導光板２６には、右眼ＲＥの眼前に位置するハーフミラー２６１（反射面）が形成される。画像光Ｌは、ハーフミラー２６１で反射後、右導光板２６から右眼ＲＥへと射出され、この画像光Ｌが右眼ＲＥの網膜で像を結ぶことで、使用者に虚像を視認させる。
【００３７】
左眼ＬＥに虚像を視認させる構成として、左表示ユニット２４は、ＯＬＥＤユニット２４１と、左光学系２５２とを備える。ＯＬＥＤユニット２４１は画像光を発する。左光学系２５２は、レンズ群等を備え、ＯＬＥＤユニット２４１が発する画像光Ｌを左導光板２８へと導く。ＯＬＥＤユニット２４１は、ＯＬＥＤパネル２４３と、ＯＬＥＤパネル２４３を駆動するＯＬＥＤ駆動回路２４５を有する。各部の詳細は、ＯＬＥＤユニット２２１、ＯＬＥＤパネル２２３、ＯＬＥＤ駆動回路２２５と同じである。ＯＬＥＤパネル２４３の裏面に固定される基板には、温度センサー２３９が実装される。また、左光学系２５２の詳細は右光学系２５１と同じである。
【００３８】
以上説明した構成によれば、ＨＭＤ１００は、シースルー型の表示装置として機能することができる。すなわち使用者の右眼ＲＥには、ハーフミラー２６１で反射した画像光Ｌと、右導光板２６を透過した外光ＯＬとが入射する。使用者の左眼ＬＥには、ハーフミラー２８１で反射した画像光Ｌと、左導光板２８を透過した外光ＯＬとが入射する。このように、ＨＭＤ１００は、内部で処理した画像の画像光Ｌと外光ＯＬとを重ねて使用者の眼に入射させる。この結果、使用者にとっては、右導光板２６および左導光板２８を透かして外景（実世界）が見えると共に、この外景に重なるようにして画像光Ｌによる虚像が視認される。
【００３９】
なお、ハーフミラー２６１およびハーフミラー２８１は、右表示ユニット２２および左表示ユニット２４がそれぞれ出力する画像光を反射して画像を取り出す「画像取り出し部」として機能する。また、右光学系２５１および右導光板２６を総称して「右導光部」とも呼び、左光学系２５２および左導光板２８を総称して「左導光部」とも呼ぶ。右導光部および左導光部の構成は、上述した例に限定されず、画像光を用いて使用者の眼前に虚像を形成する限りにおいて任意の方式を用いることができる。例えば、右導光部および左導光部には、回折格子を用いてもよいし、半透過反射膜を用いてもよい。
【００４０】
図１において、制御装置１０と画像表示部２０とは、接続ケーブル４０によって接続される。接続ケーブル４０は、制御装置１０の下部に設けられるコネクターに着脱可能に接続され、左保持部２３の先端から、画像表示部２０内部の各種回路に接続する。接続ケーブル４０には、デジタルデータを伝送するメタルケーブルまたは光ファイバーケーブルを有する。接続ケーブル４０にはさらに、アナログデータを伝送するメタルケーブルを含んでもよい。接続ケーブル４０の途中には、コネクター４６が設けられている。
【００４１】
コネクター４６は、ステレオミニプラグを接続するジャックであり、コネクター４６と制御装置１０とは、例えばアナログ音声信号を伝送するラインで接続される。図１に示す本実施形態の例では、コネクター４６には、ステレオヘッドホンを構成する右イヤホン３２および左イヤホン３４と、マイク６３を有するヘッドセット３０とが接続されている。
【００４２】
マイク６３は、例えば図１に示すように、マイク６３の集音部が使用者の視線方向を向くように配置されている。マイク６３は、音声を集音し、音声信号を音声インターフェイス１８２（図５）に出力する。マイク６３は、モノラルマイクであってもステレオマイクであってもよく、指向性を有するマイクであっても無指向性のマイクであってもよい。
【００４３】
制御装置１０は、使用者に対する入出力インターフェイスとして、ボタン１１と、ＬＥＤインジケーター１２と、十字キー１３と、トラックパッド１４と、上下キー１５と、切替スイッチ１６と、電源スイッチ１８とを備える。
【００４４】
ボタン１１は、制御装置１０が実行するＯＳ（オペレーティングシステム）１４３（図６）の操作等を行うためのメニューキー、ホームキー、戻るキー等を含む。本実施形態のボタン１１は、これらのキーやスイッチのうちの押圧操作により変位するタイプのボタンである。ＬＥＤインジケーター１２は、ＨＭＤ１００の動作状態に対応して点灯あるいは消灯する。十字キー１３は、上下左右および中央部分にそれぞれ対応するキーへのタッチまたは押圧操作を検出して、検出内容に応じた信号を出力する。トラックパッド１４は、接触操作を検出する操作面を有し、操作面への接触操作を検出して、検出内容に応じた信号を出力する。接触操作の検出方法には、静電式、圧力検出式、光学式等の種々の方法を採用できる。
【００４５】
上下キー１５は、右イヤホン３２および左イヤホン３４から出力する音量を増減させるための指示操作や、画像表示部２０における輝度を増減させるための指示操作を検出する。切替スイッチ１６は、上下キー１５の指示対象（音量、輝度）の切り替え操作を検出する。電源スイッチ１８は、ＨＭＤ１００の電源のオンオフ（ＯＮ、ＯＦＦ）の切り替え操作を検出する。電源スイッチ１８としては、例えばスライドスイッチを採用できる。
【００４６】
図３は、使用者から見た画像表示部２０の要部構成を示す図である。図３では、接続ケーブル４０、右イヤホン３２、左イヤホン３４の図示を省略している。図３の状態では、右導光板２６および左導光板２８の裏側が視認できると共に、右眼ＲＥに画像光を照射するためのハーフミラー２６１、および、左眼ＬＥに画像光を照射するためのハーフミラー２８１が略四角形の領域として視認できる。使用者は、これらハーフミラー２６１、２８１を含む左右の導光板２６、２８の全体を透過して外景を視認すると共に、ハーフミラー２６１、２８１の位置に矩形の表示画像を視認する。
【００４７】
図４は、カメラ６１の画角を説明するための図である。図４では、カメラ６１と、使用者の右眼ＲＥおよび左眼ＬＥとを平面視で模式的に示すと共に、カメラ６１の画角（撮像範囲）をＣで示す。なお、カメラ６１の画角Ｃは図示のように水平方向に拡がっているほか、一般的なデジタルカメラと同様に鉛直方向にも拡がっている。
【００４８】
上述のようにカメラ６１は、画像表示部２０において右側の端部に配置され、使用者の視線の方向（すなわち使用者の前方）を撮像する。このためカメラ６１の光軸は、右眼ＲＥおよび左眼ＬＥの視線方向を含む方向とされる。使用者がＨＭＤ１００を装着した状態で視認できる外景は、無限遠とは限らない。例えば、使用者が両眼で対象物ＯＢを注視すると、使用者の視線は、図中の符号ＲＤ、ＬＤに示すように、対象物ＯＢに向けられる。この場合、使用者から対象物ＯＢまでの距離は、３０ｃｍ〜１０ｍ程度であることが多く、１ｍ〜４ｍであることがより多い。そこで、ＨＭＤ１００について、通常使用時における使用者から対象物ＯＢまでの距離の上限および下限の目安を定めてもよい。この目安は、予め求められＨＭＤ１００にプリセットされていてもよいし、使用者が設定してもよい。カメラ６１の光軸および画角は、このような通常使用時における対象物ＯＢまでの距離が、設定された上限および下限の目安に相当する場合において対象物ＯＢが画角に含まれるように設定されることが好ましい。
【００４９】
なお、一般的に、人間の視野角は水平方向におよそ２００度、垂直方向におよそ１２５度とされる。そのうち情報受容能力に優れる有効視野は水平方向に３０度、垂直方向に２０度程度である。人間が注視する注視点が迅速に安定して見える安定注視野は、水平方向に６０〜９０度、垂直方向に４５〜７０度程度とされている。この場合、注視点が対象物ＯＢ（図４）であるとき、視線ＲＤ、ＬＤを中心として水平方向に３０度、垂直方向に２０度程度が有効視野である。また、水平方向に６０〜９０度、垂直方向に４５〜７０度程度が安定注視野である。使用者が画像表示部２０を透過して右導光板２６および左導光板２８を透過して視認する実際の視野を、実視野（ＦＯＶ：Field Of View）と呼ぶ。実視野は、視野角および安定注視野より狭いが、有効視野より広い。
【００５０】
本実施形態のカメラ６１の画角Ｃは、使用者の視野より広い範囲を撮像可能に設定される。カメラ６１の画角Ｃは、少なくとも使用者の有効視野より広い範囲を撮像可能に設定されることが好ましく、実視野よりも広い範囲を撮像可能に設定されることがより好ましい。カメラ６１の画角Ｃは、使用者の安定注視野より広い範囲を撮像可能に設定されることがさらに好ましく、使用者の両眼の視野角よりも広い範囲を撮像可能に設定されることが最も好ましい。このため、カメラ６１には、撮像レンズとしていわゆる広角レンズを備え、広い画角を撮像できる構成としてもよい。広角レンズには、超広角レンズ、準広角レンズと呼ばれるレンズを含んでもよい。また、カメラ６１には、単焦点レンズを含んでもよく、ズームレンズを含んでもよく、複数のレンズからなるレンズ群を含んでもよい。
【００５１】
図５は、ＨＭＤ１００の構成を機能的に示すブロック図である。制御装置１０は、プログラムを実行してＨＭＤ１００を制御するメインプロセッサー１４０と、記憶部と、入出力部と、センサー類と、インターフェイスと、電源部１３０とを備える。メインプロセッサー１４０には、これらの記憶部、入出力部、センサー類、インターフェイス、電源部１３０がそれぞれ接続されている。メインプロセッサー１４０は、制御装置１０が内蔵しているコントローラー基板１２０に実装されている。
【００５２】
記憶部には、メモリー１１８と、不揮発性記憶部１２１とが含まれている。メモリー１１８は、メインプロセッサー１４０によって実行されるコンピュータープログラム、および、処理されるデーターを一時的に記憶するワークエリアを構成する。不揮発性記憶部１２１は、フラッシュメモリーやｅＭＭＣ（embedded Multi Media Card）で構成される。不揮発性記憶部１２１は、メインプロセッサー１４０が実行するコンピュータープログラムや、メインプロセッサー１４０によって処理される各種のデーターを記憶する。本実施形態において、これらの記憶部はコントローラー基板１２０に実装されている。
【００５３】
入出力部には、トラックパッド１４と、操作部１１０とが含まれている。操作部１１０には、上述したボタン１１と、ＬＥＤインジケーター１２と、十字キー１３と、トラックパッド１４と、上下キー１５と、切替スイッチ１６と、電源スイッチ１８とが含まれる。メインプロセッサー１４０は、これら各入出力部を制御すると共に、各入出力部から出力される信号を取得する。
【００５４】
センサー類には、６軸センサー１１１と、磁気センサー１１３と、ＧＰＳ（Global Positioning System）１１５とが含まれている。６軸センサー１１１は、３軸加速度センサーと３軸ジャイロ（角速度）センサーとを備えるモーションセンサー（慣性センサー）である。６軸センサー１１１は、これらセンサーがモジュール化されたＩＭＵ（Inertial Measurement Unit）を採用してもよい。磁気センサー１１３は、例えば、３軸の地磁気センサーである。ＧＰＳ１１５は、図示しないＧＰＳアンテナを備え、ＧＰＳ衛星から送信される無線信号を受信して、制御装置１０の現在位置の座標を検出する。これらセンサー類（６軸センサー１１１、磁気センサー１１３、ＧＰＳ１１５）は、検出値を予め指定されたサンプリング周波数に従って、メインプロセッサー１４０へと出力する。各センサーが検出値を出力するタイミングは、メインプロセッサー１４０からの指示に応じてもよい。
【００５５】
インターフェイスには、通信部１１７と、音声コーデック１８０と、外部コネクター１８４と、外部メモリーインターフェイス１８６と、ＵＳＢ（Universal Serial Bus）コネクター１８８と、センサーハブ１９２と、ＦＰＧＡ１９４と、インターフェイス１９６とが含まれている。これらは、外部とのインターフェイスとして機能する。通信部１１７は、ＨＭＤ１００と外部機器との間における無線通信を実行する。通信部１１７は、図示しないアンテナ、ＲＦ回路、ベースバンド回路、通信制御回路等を備えて構成され、あるいはこれらが統合されたデバイスとして構成されている。通信部１１７は、例えば、Ｂｌｕｅｔｏｏｔｈ（登録商標）、Ｗｉ−Ｆｉ（登録商標）を含む無線ＬＡＮ等の規格に準拠した無線通信を行う。
【００５６】
音声コーデック１８０は、音声インターフェイス１８２に接続され、音声インターフェイス１８２を介して入出力される音声信号のエンコード／デコードを行う。音声インターフェイス１８２は、音声信号を入出力するインターフェイスである。音声コーデック１８０は、アナログ音声信号からデジタル音声データーへの変換を行うＡ／Ｄコンバーター、および、その逆の変換を行うＤ／Ａコンバーターを備えてもよい。本実施形態のＨＭＤ１００は、音声を右イヤホン３２および左イヤホン３４から出力し、マイク６３により集音する。音声コーデック１８０は、メインプロセッサー１４０が出力するデジタル音声データーをアナログ音声信号に変換し、音声インターフェイス１８２を介して出力する。また、音声コーデック１８０は、音声インターフェイス１８２に入力されるアナログ音声信号をデジタル音声データーに変換してメインプロセッサー１４０に出力する。
【００５７】
外部コネクター１８４は、メインプロセッサー１４０に対して、メインプロセッサー１４０と通信する外部装置（例えば、パーソナルコンピューター、スマートフォン、ゲーム機器等）を接続するためのコネクターである。外部コネクター１８４に接続された外部装置は、コンテンツの供給元となり得るほか、メインプロセッサー１４０が実行するコンピュータープログラムのデバッグや、ＨＭＤ１００の動作ログの収集に使用できる。外部コネクター１８４は種々の態様を採用できる。外部コネクター１８４としては、例えば、ＵＳＢインターフェイス、マイクロＵＳＢインターフェイス、メモリーカード用インターフェイス等の有線接続に対応したインターフェイスや、無線ＬＡＮインターフェイス、Ｂｌｕｅｔｏｏｔｈインターフェイス等の無線接続に対応したインターフェイスを採用できる。
【００５８】
外部メモリーインターフェイス１８６は、可搬型のメモリーデバイスを接続可能なインターフェイスである。外部メモリーインターフェイス１８６は、例えば、カード型記録媒体を装着してデーターの読み書きを行うメモリーカードスロットと、インターフェイス回路とを含む。カード型記録媒体のサイズ、形状、規格等は適宜選択できる。ＵＳＢコネクター１８８は、ＵＳＢ規格に準拠したメモリーデバイス、スマートフォン、パーソナルコンピューター等を接続可能なインターフェイスである。ＵＳＢコネクター１８８は、例えば、ＵＳＢ規格に準拠したコネクターと、インターフェイス回路とを含む。ＵＳＢコネクター１８８のサイズ、形状、ＵＳＢ規格のバージョン等は適宜選択できる。
【００５９】
また、ＨＭＤ１００は、バイブレーター１９を備える。バイブレーター１９は、図示しないモーターと、偏芯した回転子等を備え、メインプロセッサー１４０の制御に従って振動を発声する。ＨＭＤ１００は、例えば、操作部１１０に対する操作を検出した場合や、ＨＭＤ１００の電源がオンオフされた場合等に所定の振動パターンでバイブレーター１９により振動を発生させる。
【００６０】
センサーハブ１９２およびＦＰＧＡ１９４は、インターフェイス（Ｉ／Ｆ）１９６を介して画像表示部２０に接続されている。センサーハブ１９２は、画像表示部２０が備える各種センサーの検出値を取得して、メインプロセッサー１４０に出力する。ＦＰＧＡ１９４は、メインプロセッサー１４０と画像表示部２０の各部との間で送受信されるデーターの処理およびインターフェイス１９６を介した伝送を実行する。インターフェイス１９６は、画像表示部２０の右表示ユニット２２と、左表示ユニット２４とに対してそれぞれ接続されている。本実施形態の例では、左保持部２３に接続ケーブル４０が接続され、この接続ケーブル４０に繋がる配線が画像表示部２０内部に敷設され、右表示ユニット２２と左表示ユニット２４とのそれぞれが、制御装置１０のインターフェイス１９６に接続される。
【００６１】
電源部１３０には、バッテリー１３２と、電源制御回路１３４とが含まれている。電源部１３０は、制御装置１０が動作するための電力を供給する。バッテリー１３２は、充電可能な電池である。電源制御回路１３４は、バッテリー１３２の残容量の検出と、ＯＳ１４３への充電の制御を行う。電源制御回路１３４は、メインプロセッサー１４０に接続され、バッテリー１３２の残容量の検出値や、バッテリー１３２の電圧の検出値をメインプロセッサー１４０へと出力する。なお、電源部１３０が供給する電力に基づいて、制御装置１０から画像表示部２０へと電力を供給してもよい。電源部１３０から制御装置１０の各部および画像表示部２０への電力の供給状態を、メインプロセッサー１４０により制御可能な構成としてもよい。
【００６２】
右表示ユニット２２は、表示ユニット基板２１０と、ＯＬＥＤユニット２２１と、カメラ６１と、照度センサー６５と、ＬＥＤインジケーター６７と、温度センサー２１７とを備える。表示ユニット基板２１０には、インターフェイス１９６に接続されるインターフェイス（Ｉ／Ｆ）２１１と、受信部（Ｒｘ）２１３と、ＥＥＰＲＯＭ（Electrically Erasable Programmable Read-Only Memory）２１５とが実装されている。受信部２１３は、インターフェイス２１１を介して制御装置１０から入力されるデーターを受信する。受信部２１３は、ＯＬＥＤユニット２２１で表示する画像の画像データーを受信した場合に、受信した画像データーをＯＬＥＤ駆動回路２２５（図２）へと出力する。
【００６３】
ＥＥＰＲＯＭ２１５は、各種のデーターをメインプロセッサー１４０が読み取り可能な態様で記憶する。ＥＥＰＲＯＭ２１５は、例えば、画像表示部２０のＯＬＥＤユニット２２１、２４１の発光特性や表示特性に関するデーター、右表示ユニット２２または左表示ユニット２４のセンサー特性に関するデーター等を記憶する。具体的には、例えば、ＯＬＥＤユニット２２１、２４１のガンマ補正に係るパラメーター、後述する温度センサー２１７、２３９の検出値を補償するデーター等を記憶する。これらのデーターは、ＨＭＤ１００の工場出荷時の検査によって生成され、ＥＥＰＲＯＭ２１５に書き込まれる。出荷後は、メインプロセッサー１４０がＥＥＰＲＯＭ２１５のデーターを読み込んで各種の処理に利用する。
【００６４】
カメラ６１は、インターフェイス２１１を介して入力される信号に従って撮像を実行し、撮像画像データーあるいは撮像結果を表す信号を制御装置１０へと出力する。照度センサー６５は、図１に示すように、前部フレーム２７の端部ＥＲに設けられ、画像表示部２０を装着する使用者の前方からの外光を受光するように配置される。照度センサー６５は、受光量（受光強度）に対応した検出値を出力する。ＬＥＤインジケーター６７は、図１に示すように、前部フレーム２７の端部ＥＲにおいてカメラ６１の近傍に配置される。ＬＥＤインジケーター６７は、カメラ６１による撮像を実行中に点灯して、撮像中であることを報知する。
【００６５】
温度センサー２１７は、温度を検出し、検出した温度に対応する電圧値あるいは抵抗値を出力する。温度センサー２１７は、ＯＬＥＤパネル２２３（図３）の裏面側に実装される。温度センサー２１７は、例えばＯＬＥＤ駆動回路２２５と同一の基板に実装されてもよい。この構成により、温度センサー２１７は主としてＯＬＥＤパネル２２３の温度を検出する。なお、温度センサー２１７は、ＯＬＥＤパネル２２３あるいはＯＬＥＤ駆動回路２２５に内蔵されてもよい。例えば、ＯＬＥＤパネル２２３がＳｉ−ＯＬＥＤとしてＯＬＥＤ駆動回路２２５と共に統合半導体チップ上の集積回路として実装される場合、この半導体チップに温度センサー２１７を実装してもよい。
【００６６】
左表示ユニット２４は、表示ユニット基板２３０と、ＯＬＥＤユニット２４１と、温度センサー２３９とを備える。表示ユニット基板２３０には、インターフェイス１９６に接続されるインターフェイス（Ｉ／Ｆ）２３１と、受信部（Ｒｘ）２３３と、６軸センサー２３５と、磁気センサー２３７とが実装されている。受信部２３３は、インターフェイス２３１を介して制御装置１０から入力されるデーターを受信する。受信部２３３は、ＯＬＥＤユニット２４１で表示する画像の画像データーを受信した場合に、受信した画像データーをＯＬＥＤ駆動回路２４５（図２）へと出力する。
【００６７】
６軸センサー２３５は、３軸加速度センサーおよび３軸ジャイロ（角速度）センサーを備えるモーションセンサー（慣性センサー）である。６軸センサー２３５は、上記のセンサーがモジュール化されたＩＭＵを採用してもよい。磁気センサー２３７は、例えば、３軸の地磁気センサーである。温度センサー２３９は、温度を検出し、検出した温度に対応する電圧値あるいは抵抗値を出力する。温度センサー２３９は、ＯＬＥＤパネル２４３（図３）の裏面側に実装される。温度センサー２３９は、例えばＯＬＥＤ駆動回路２４５と同一の基板に実装されてもよい。この構成により、温度センサー２３９は主としてＯＬＥＤパネル２４３の温度を検出する。温度センサー２３９は、ＯＬＥＤパネル２４３あるいはＯＬＥＤ駆動回路２４５に内蔵されてもよい。詳細は温度センサー２１７と同様である。
【００６８】
右表示ユニット２２のカメラ６１、照度センサー６５、温度センサー２１７と、左表示ユニット２４の６軸センサー２３５、磁気センサー２３７、温度センサー２３９は、制御装置１０のセンサーハブ１９２に接続される。センサーハブ１９２は、メインプロセッサー１４０の制御に従って各センサーのサンプリング周期の設定および初期化を行う。センサーハブ１９２は、各センサーのサンプリング周期に合わせて、各センサーへの通電、制御データーの送信、検出値の取得等を実行する。センサーハブ１９２は、予め設定されたタイミングで、右表示ユニット２２および左表示ユニット２４が備える各センサーの検出値をメインプロセッサー１４０へ出力する。センサーハブ１９２は、各センサーの検出値を一時的に保持するキャッシュ機能を備えてもよい。センサーハブ１９２は、各センサーの検出値の信号形式やデーター形式の変換機能（例えば、統一形式への変換機能）を備えてもよい。センサーハブ１９２は、メインプロセッサー１４０の制御に従ってＬＥＤインジケーター６７への通電を開始および停止させることで、ＬＥＤインジケーター６７を点灯または消灯させる。
【００６９】
図６は、ＨＭＤ１００の制御機能部の構成を機能的に示すブロック図である。ＨＭＤ１００の制御機能部は、記憶部１２２と、制御部１５０とを備える。記憶部１２２は、不揮発性記憶部１２１（図５）により構成される論理的な記憶部である。図６では記憶部１２２のみを使用する例を示すが、不揮発性記憶部１２１に組み合わせてＥＥＰＲＯＭ２１５やメモリー１１８が使用されてもよい。また、制御部１５０は、メインプロセッサー１４０がコンピュータープログラムを実行することにより、すなわち、ハードウェアとソフトウェアとが協働することにより構成される。
【００７０】
記憶部１２２には、制御部１５０における処理に供する種々のデーターが記憶されている。具体的には、本実施形態の記憶部１２２には、設定データー１２３と、コンテンツデーター１２４とが記憶されている。設定データー１２３は、ＨＭＤ１００の動作に係る各種の設定値を含む。例えば、設定データー１２３には、制御部１５０がＨＭＤ１００を制御する際のパラメーター、行列式、演算式、ＬＵＴ（Look Up Table）等が含まれている。
【００７１】
コンテンツデーター１２４には、制御部１５０の制御によって画像表示部２０が表示する画像や映像を含むコンテンツのデーター（画像データー、映像データー、音声データー等）が含まれている。なお、コンテンツデーター１２４には、双方向型のコンテンツのデーターが含まれてもよい。双方向型のコンテンツとは、制御装置１０によって使用者の操作を取得して、取得した操作内容に応じた処理を制御部１５０が実行し、処理内容に応じたコンテンツを画像表示部２０に表示するタイプのコンテンツを意味する。この場合、コンテンツのデーターには、使用者の操作を取得するためのメニュー画面の画像データー、メニュー画面に含まれる項目に対応する処理を定めるデーター等を含みうる。
【００７２】
制御部１５０は、記憶部１２２が記憶しているデーターを利用して各種処理を実行することにより、ＯＳ１４３、画像処理部１４５、表示制御部１４７、撮像制御部１４９、入出力制御部１５１としての機能を実行する。本実施形態では、ＯＳ１４３以外の各機能部は、ＯＳ１４３上で実行されるアプリケーションプログラムとして構成されている。
【００７３】
画像処理部１４５は、画像表示部２０により表示する画像／映像の画像データーに基づいて、右表示ユニット２２および左表示ユニット２４に送信する信号を生成する。画像処理部１４５が生成する信号は、垂直同期信号、水平同期信号、クロック信号、アナログ画像信号等であってもよい。画像処理部１４５は、メインプロセッサー１４０がコンピュータープログラムを実行して実現される構成のほか、メインプロセッサー１４０とは別のハードウェア（例えば、ＤＳＰ（Digital Signal Processor））で構成してもよい。
【００７４】
なお、画像処理部１４５は、必要に応じて、解像度変換処理、画像調整処理、２Ｄ／３Ｄ変換処理等を実行してもよい。解像度変換処理は、画像データーの解像度を右表示ユニット２２および左表示ユニット２４に適した解像度へと変換する処理である。画像調整処理は、画像データーの輝度や彩度を調整する処理である。２Ｄ／３Ｄ変換処理は、三次元画像データーから二次元画像データーを生成し、あるいは、二次元画像データーから三次元画像データーを生成する処理である。画像処理部１４５は、これらの処理を実行した場合、処理後の画像データーに基づき画像を表示するための信号を生成し、接続ケーブル４０を介して画像表示部２０へと送信する。
【００７５】
表示制御部１４７は、右表示ユニット２２および左表示ユニット２４を制御する制御信号を生成し、この制御信号により、右表示ユニット２２および左表示ユニット２４のそれぞれによる画像光の生成と射出とを制御する。具体的には、表示制御部１４７は、ＯＬＥＤ駆動回路２２５、２４５を制御して、ＯＬＥＤパネル２２３、２４３による画像の表示を実行させる。表示制御部１４７は、画像処理部１４５が出力する信号に基づいて、ＯＬＥＤ駆動回路２２５、２４５がＯＬＥＤパネル２２３、２４３に描画するタイミングの制御、ＯＬＥＤパネル２２３、２４３の輝度の制御等を行う。
【００７６】
撮像制御部１４９は、カメラ６１を制御して撮像を実行させ、撮像画像データーを生成し、記憶部１２２に一時的に記憶させる。また、カメラ６１が撮像画像データーを生成する回路を含むカメラユニットとして構成される場合、撮像制御部１４９は、撮像画像データーをカメラ６１から取得して、記憶部１２２に一時的に記憶させる。
【００７７】
入出力制御部１５１は、十字キー１３における各ボタンのオンオフの検出結果を取得する。入出力制御部１５１は、検出結果が予め定められたパターン（詳細は後述）を含む場合は、フリック入力に相当する出力を実行し、予め定められたパターンを含まない場合は、オンオフの検出結果をそのまま出力する。ここで、フリック入力またはオンオフの検出結果の出力先は、任意に定めることができるが、本実施形態の場合はＯＳ１４３である。入出力制御部１５１は、フリック入力またはオンオフの検出結果を、ＯＳ１４３に代えて、またはＯＳ１４３と共に、ＯＳ１４３上で動作する他のアプリケーションに出力してもよい。ＯＳ１４３上で動作する他のアプリケーションとは、表示制御部１４７、撮像制御部１４９、または、ＯＳ１４３にインストールされているその他のアプリケーションである。
【００７８】
入出力制御部１５１は、フリック入力またはオンオフの検出結果を、インターフェイス１９６を介して接続されている画像表示部２０に出力してもよく、外部コネクター１８４を介して接続されている外部装置に出力してもよい。この場合、フリック入力またはオンオフの検出結果は、画像表示部２０に搭載されている制御部や、外部装置の制御部によって使用される。
【００７９】
Ａ−２．十字キーの構成：
図７は、十字キー１３について説明する図である。本実施形態のＨＭＤ１００では、この十字キー１３を用いてフリック入力を行うことができる。本実施形態の十字キー１３は、１つの決定ボタン１３９と、上下左右のそれぞれに対応した４つの方向ボタン１３５〜１３８と、により構成されている。決定ボタン１３９は円形形状であり、各方向ボタン１３５〜１３８は矩形形状である。これらのボタンは、制御装置１０の筐体表面において、４つの方向ボタン１３５〜１３８が、決定ボタン１３９を中心として上下左右方向にそれぞれ配置された、いわゆる十字キーの態様である。以降、４つの方向ボタン１３５〜１３８を総称して説明するときは単に「方向ボタン」と呼び、個別に説明するときは左ボタン１３５、右ボタン１３６、上ボタン１３７、下ボタン１３８と呼ぶ。図７では便宜的に、決定、上、下、左、右の文字を記しているが、実際の十字キー１３にはこれらの表示は無くてもよく、記号等に置き換えられてもよい。
【００８０】
本実施形態の決定ボタン１３９は、使用者が決定ボタン１３９を押下することによって内部に設けられているスイッチがオンされ、使用者が決定ボタン１３９の押下をやめることによって内部に設けられているスイッチがオフする、いわゆる機械接点式のボタンである。一方、４つの方向ボタン１３５〜１３８は、使用者が方向ボタンにタッチする（触れる）ことによって内部に設けられているスイッチがオンされ、使用者が方向ボタンを離すことによって内部に設けられているスイッチがオフする、いわゆる静電容量式のボタンである。なお、決定ボタン１３９と各方向ボタンとの方式の具体例はあくまで一例であり、種々の態様を採用できる。例えば、決定ボタン１３９と各方向ボタンとの全てを機械接点式にしてもよく、全てを静電容量式にしてもよい。
【００８１】
このように、本実施形態の入力装置（制御装置１０）によれば、決定ボタン１３９と方向ボタン１３５〜１３８とを、使用者が直感的に把握および操作しやすい十字キー１３として構成することができる。また、機械接点式のボタン、または、静電容量式のボタンのいずれを用いても入力装置を構成することができる。
【００８２】
Ａ−３．入出力制御（汎用的な例）：
入出力制御部１５１によるフリック入力の汎用的な例について説明する。
【００８３】
図８は、十字キー１３を用いたフリック入力の方法について説明する図である。図８では、右フリックを例にして説明する。
（１）まず使用者は、手ｈｄの指を用いて決定ボタン１３９を押下した後、決定ボタン１３９の押下をやめる。本実施形態では、使用者が決定ボタン１３９を押下して離す一連の操作を「操作１」とも呼ぶ。操作１によって入出力制御部１５１は、決定ボタン１３９のオンオフを取得する。
（２）次に使用者は、手ｈｄを右ボタン１３６の位置へ移動する（図８：矢印）。本実施形態では、使用者が次の方向ボタンに手を移動する操作を「操作２」とも呼ぶ。
（３）最後に使用者は、手ｈｄの指を用いて右ボタン１３６にタッチする。本実施形態では、使用者が方向ボタンにタッチする操作を「操作３」とも呼ぶ。操作３によって入出力制御部１５１は、右ボタン１３６のオンを取得する。
なお、この一連の操作１〜３は「予め定められたパターン」として機能する。
【００８４】
入出力制御部１５１は、操作１によって決定ボタン１３９のオンオフを取得し、操作３によって右ボタン１３６（方向ボタン）のオンを取得する。このように、決定ボタン１３９のオンオフを検出した後、方向ボタンのうちのいずれか１つのオンを検出した場合、入出力制御部１５１は、ＯＳ１４３に対してフリック入力に相当する出力を実行する。ここで、フリック入力に相当する出力とは、受け取り側（本実施形態の場合はＯＳ１４３）において「フリック入力がされた」と解釈可能な限りにおいて、種々の態様を採用できる。例えば、入出力制御部１５１は、次の出力ａ１、ａ２のいずれかを行うことができる。
【００８５】
（ａ１）フリックイベントを発生させる。
（ａ２）受け取り側においてフリック入力を検出可能な一連のイベント（例えば下記）を発生させる。
・仮想的なタッチパネルを設定する。
・仮想的なタッチパネル上において、タッチされたイベント、例えば、getAction(ACTION_DOWN)を発生させる。
・仮想的なタッチパネル上において、タッチされた状態で移動しているイベント、例えば、getAction(ACTION_MOVE)を発生させる。
・仮想的なタッチパネル上において、タッチが離れた、例えば、getAction(ACTION_UP)を発生させる。
なお、入出力制御部１５１は、タッチイベントに関する種々の状態（Ｘ座標、Ｙ座標、タッチされている指の本数、タッチの圧力、タッチされていた時間等）について、必要であれば、予め定められているダミー値を設定できる。
【００８６】
なお、使用者は、手ｈｄの指に代えて、タッチペン等の道具を用いてボタンを押下してもよい。また、上述の例では、機械接点式のボタンである決定ボタン１３９について「押下」、静電容量式のボタンである４つの方向ボタン１３５〜１３８について「タッチ」と記載した。しかし、使用者の操作内容（押下／タッチ）は、各ボタン１３５〜１３９の構成内容（機械接点式／静電容量式）に応じて適宜、相互に変更可能である。なお、各ボタン１３５〜１３９のオンオフの検出結果が予め定められたパターン（操作１〜３）を含む限りにおいて、入出力制御部１５１は、フリック入力に相当する出力を実行してよい。このため例えば、スイッチのチャタリング等の結果として、各ボタン１３５〜１３９のオンオフの検出結果が予め定められたパターン（操作１〜３）と完全に一致しない場合であっても、入出力制御部１５１は、フリック入力に相当する出力を実行できる。
【００８７】
以上のように、上記実施形態の入力装置（制御装置１０）によれば、個々に入力のオンオフが可能な２つ以上のボタン（各ボタン１３５〜１３９）において、各ボタンの検出結果が予め定められたパターン（操作１〜３）を含む場合はフリック入力に相当する出力ａ1、ａ２がなされる。具体的には、決定ボタン１３９が押下（またはタッチ）され、その後、４つの方向ボタン１３５〜１３８のうちのいずれか１つが押下（またはタッチ）された際、換言すれば、押下／タッチを挟んだ指の移動に伴って、フリック入力に相当する出力ａ１、ａ２がなされる。この結果、使用者は、実際のフリック動作に模した指の移動動作によって、指等の軌跡を取得可能なセンサーデバイスを使用せず、十字キー１３を使用することによってフリック入力を行うことができる。また、本例では、出力ａ１、ａ２はイベントの形式でＯＳ１４３等に出力されるため、受け取り側のアプリケーションによって様々な用途で利用することができる。
【００８８】
Ａ−４．入出力制御（文字入力の例）：
入出力制御部１５１によるフリック入力を利用した文字入力の例について説明する。図９は、入出力制御部１５１がフリック入力に相当する出力を行う操作パターンの例を示す図である。図９の各パターン１〜４はそれぞれ「予め定められたパターン」として機能する。なお、図９の各パターンは、上述した入出力制御（汎用的な例）においても利用可能できる。図９の各パターンを入出力制御（汎用的な例）において利用する場合、図９の「画面表示」は不要である。
【００８９】
＜パターン１＞
図１０は、パターン１の操作１について説明する図である。図１１は、パターン１の操作２について説明する図である。図１２は、パターン１の操作３について説明する図である。まず、入出力制御部１５１は、画像表示部２０にソフトウェアキーボードｐｄを表示させる（図１０：左側）。ソフトウェアキーボードｐｄには、「あ」から「わ」までの日本語の五十音のあ段の候補がタイル状に配置されており、初期状態では「あ」が太い矩形で囲まれた選択状態にある。使用者は、十字キー１３の方向ボタンにタッチすることで、ソフトウェアキーボードｐｄの五十音のあ段の候補から、所望の候補に太字の矩形を移動させて選択状態とする。図１０の例では「な」が選択状態とされている。
【００９０】
使用者は、手ｈｄの指を用いて決定ボタン１３９を押下した後、決定ボタン１３９の押下をやめる（図１０：操作１）。操作１によって入出力制御部１５１は、決定ボタン１３９のオンオフを取得する。このとき入出力制御部１５１は、図９に示すパターン１の「操作１条件」が満たされたと判定する。このため、入出力制御部１５１は、画像表示部２０に表示させているソフトウェアキーボードｐｄ上において、選択されている候補「な」の強調と、選択されている候補「な」に対する子音の候補「に〜の」の表示とを行う（図１１：左側）。なお、図１１以降の図では、図示の便宜上、選択外の五十音のあ段の表示を省略している。
【００９１】
使用者は、手ｈｄを、選択したい子音を表す方向ボタンの位置へと移動させる（図１１：操作２）。このとき入出力制御部１５１は、ソフトウェアキーボードｐｄ上における子音の候補の表示を継続する。
【００９２】
使用者は、手ｈｄの指を用いて方向ボタン（図の例では右ボタン１３６）にタッチする（図１２：操作３）。操作３によって入出力制御部１５１は、右ボタン１３６のオンを取得する。このとき入出力制御部１５１は、図９に示すパターン１の「操作３条件」が満たされたと判定する。このため、入出力制御部１５１は、画像表示部２０に表示させているソフトウェアキーボードｐｄ上において、選択された子音「ね」の強調を行う（図１２：左側）。さらに入出力制御部１５１は、ＯＳ１４３に対してフリック入力に相当する出力として、選択された子音「ね」を出力する。これにより、例えば、文字入力パッド等に対する「ね」の表示が行われる。このように、本例では、フリック入力に相当する出力として、上述した出力ａ１、ａ２に代えて、最終的に選択された文字が出力される。
【００９３】
＜パターン２＞
図１３は、パターン２の操作２および操作３について説明する図である。まず、入出力制御部１５１は、画像表示部２０にソフトウェアキーボードｐｄを表示させる。詳細は図１０と同様である。使用者は、十字キー１３の方向ボタンにタッチすることで、ソフトウェアキーボードｐｄの五十音のあ段の候補から、所望の候補に太字の矩形を移動させて選択状態とする。
【００９４】
使用者は、手ｈｄの指を用いて決定ボタン１３９を押下した後、決定ボタン１３９の押下をやめる（図１０：操作１）。操作１によって入出力制御部１５１は、決定ボタン１３９のオンオフを取得する。このとき入出力制御部１５１は、図９に示すパターン２の「操作１条件」が満たされたと判定する。このため、入出力制御部１５１は、画像表示部２０に表示させているソフトウェアキーボードｐｄ上において、選択されている候補「な」の強調を行う。なお、本例では子音の候補の表示は行わない。
【００９５】
使用者は、手ｈｄを、選択したい子音を表す方向ボタンの位置へと移動させる（図１３：操作２）。
【００９６】
使用者は、手ｈｄの指を用いて方向ボタン（図の例では右ボタン１３６）にタッチする（図１３：操作３）。操作３によって入出力制御部１５１は、右ボタン１３６のオンを取得する。次に入出力制御部１５１は、操作１の決定ボタン１３９のオフ取得から、操作３の方向ボタンのオン取得までの時間ｔ１（ｓｅｃ）が、所定の時間ｎ（ｓｅｃ）以内であるか否か判定する。なお、所定の時間ｎは「第１の時間」として機能し、予め定められて記憶部１２２に記憶されている。所定の時間ｎは任意に定めることができるが、一般的なフリック操作における指の移動時間を想定した、ある程度短い時間に設定されることが好ましい。時間ｔ１が所定の時間ｎ以内である場合、入出力制御部１５１は、図９に示すパターン２の「操作２条件」が満たされたと判定する。
【００９７】
また、操作３によって入出力制御部１５１は右ボタン１３６のオンを取得しているため、入出力制御部１５１は、図９に示すパターン２の「操作３条件」も満たされたと判定する。従って、入出力制御部１５１は、画像表示部２０に表示させているソフトウェアキーボードｐｄ上において、選択された子音「ね」の表示と強調とを行う（図１３：左側）。さらに入出力制御部１５１は、ＯＳ１４３に対してフリック入力に相当する出力として、選択された子音「ね」を出力する。
【００９８】
パターン２を用いた入出力制御によれば、決定ボタン１３９の押下（またはタッチ）と方向ボタン１３５〜１３８の押下（またはタッチ）との間（ｔ１）が第１の時間（ｎ）内である場合に限り、フリック入力に相当する出力がなされる。この第１の時間を適切に設定することで、使用者は、十字キー１３を用いた通常の決定−方向入力と、フリック入力とを使い分けることができる。
【００９９】
＜パターン３＞
パターン３は、入出力制御部１５１における「操作１条件」の判定基準が異なる点を除いて、パターン１と同じである。パターン３において入出力制御部１５１は、使用者が決定ボタン１３９の押下を２回繰り返した場合、換言すれば、決定ボタン１３９のオンオフを２回続けて取得した場合に「操作１条件」が満たされたと判定する。
【０１００】
パターン３を用いた入出力制御によれば、決定ボタン１３９の押下（またはタッチ）が２回された後に方向ボタン１３５〜１３８の押下（またはタッチ）がされた場合に限り、フリック入力に相当する出力がなされる。このため使用者は、十字キー１３を用いた通常の決定−方向入力と、フリック入力とを使い分けることができる。
【０１０１】
＜パターン４＞
パターン４は、入出力制御部１５１における「操作１条件」の判定基準が異なる点を除いて、パターン１と同じである。パターン４において入出力制御部１５１は、使用者が決定ボタン１３９を長押しした場合、換言すれば、決定ボタン１３９のオン取得からオフ取得までの時間ｔ２（ｓｅｃ）が、所定の時間ｍ（ｓｅｃ）よりも長い場合に「操作１条件」が満たされたと判定する。所定の時間ｍは「第２の時間」として機能し、予め定められて記憶部１２２に記憶されている。所定の時間ｍは任意に定めることができるが、一般的なボタン長押しを想定した時間に設定されることが好ましい。
【０１０２】
パターン４を用いた入出力制御によれば、決定ボタン１３９の押下（またはタッチ）開始から決定ボタン１３９の押下（またはタッチ）終了までの間（ｔ２）が第２の時間（ｍ）より長い場合に限り、フリック入力に相当する出力がなされる。この第２の時間を適切に設定することで、使用者は、決定ボタン１３９の長押しを契機として意識的に、十字キー１３を用いた通常の決定−方向入力と、フリック入力とを使い分けることができる。
【０１０３】
以上のように、上記実施形態の入力装置（制御装置１０）によれば、個々に入力のオンオフが可能な２つ以上のボタン（各ボタン１３５〜１３９）において、各ボタンの検出結果が予め定められたパターン１〜４（操作１〜３）を含む場合はフリック入力に相当する出力（フリック文字入力により選択された文字の出力）がなされる。この結果、使用者は、実際のフリック動作に模した指の移動動作によって、指等の軌跡を取得可能なセンサーデバイスを使用せず、十字キー１３を使用することによってフリック入力を行うことができる。
【０１０４】
図１４は、十字キー１３の他の構成について説明する図である。図１４に示す十字キー１３ａは、決定ボタン１３９を備えない点を除き、上述した十字キー１３と同じである。このような十字キー１３ａを用いて上述の入力制御を行う場合、決定ボタン１３９の代わりに他の方向ボタンを利用すればよい。例えば、使用者は、左ボタン１３５をタッチし、離し、右ボタン１３６をタッチする。これにより、入出力制御部１５１は、左ボタン１３５のオンオフと右ボタン１３６のオンとを取得することができるため、右フリック入力に相当する出力を行う。同様に、使用者は、上ボタン１３７をタッチし、離し、下ボタン１３８をタッチする。これにより、入出力制御部１５１は、下フリック入力に相当する出力を行う。このように、決定ボタン１３９が無い場合であっても、２つ以上の方向ボタンがある限りにおいて入出力制御部１５１は、上記実施形態と同様の動作を実施することができる。
【０１０５】
図１５は、十字キー１３の他の構成について説明する図である。図１５に示す十字キー１３ｂは、各方向ボタン１３５〜１３９の表面が円形のカバーで覆われている点を除き、上述した十字キー１３と同じである。このような構成の十字キー１３ｂを利用しても、上記実施形態と同様の効果を得ることができる。
【０１０６】
図１６は、十字キー１３の他の構成について説明する図である。図１６に示すキー１３ｃは、決定ボタン１３９が矩形形状に構成されている点と、決定ボタン１３９および各方向ボタン１３５〜１３８が一列に配置されている点とを除き、上述した十字キー１３と同じである。このような構成のキー１３ｃを利用しても、上記実施形態と同様の効果を得ることができる。
【０１０７】
Ｂ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【０１０８】
・変形例１：
上記実施形態では、ＨＭＤの構成について例示した。しかし、ＨＭＤの構成は、本発明の要旨を逸脱しない範囲において任意に定めることが可能であり、例えば、構成要素の追加・削除・変換等を行うことができる。
【０１０９】
上記実施形態では、右導光板２６および左導光板２８が外光を透過する、いわゆる透過型のＨＭＤ１００について説明した。しかし、本発明は、例えば、外景を視認できない状態で画像を表示する、いわゆる非透過型のＨＭＤ１００に適用することもできる。また、これらのＨＭＤ１００では、上記実施形態で説明した実空間に重畳して画像を表示するＡＲ（Augmented Reality）表示のほか、撮像した実空間の画像と仮想画像とを組み合わせて表示するＭＲ（Mixed Reality）表示、あるいは、仮想空間を表示するＶＲ（Virtual Reality）表示を行うこともできる。また本発明は、ＡＲ、ＭＲ、ＶＲ表示のいずれも行わない装置にも適用できる。
【０１１０】
上記実施形態では、制御装置１０および画像表示部２０の機能部について説明したが、これらは任意に変更することができる。例えば、次のような態様を採用してもよい。制御装置１０に記憶部１２２および制御部１５０を搭載し、画像表示部２０には表示機能のみを搭載する態様。制御装置１０と画像表示部２０との両方に、記憶部１２２および制御部１５０を搭載する態様。制御装置１０と画像表示部２０とを一体化した態様。この場合、例えば、画像表示部２０に制御装置１０の構成要素が全て含まれ、眼鏡型のウェアラブルコンピューターとして構成される。制御装置１０の代わりにスマートフォンや携帯型ゲーム機器を使用する態様。制御装置１０と画像表示部２０とを無線通信により接続し、接続ケーブル４０を配した態様。この場合、例えば、制御装置１０や画像表示部２０に対する給電についても無線で実施してよい。
【０１１１】
・変形例２：
上記実施形態では、制御装置の構成について例示した。しかし、制御装置の構成は、本発明の要旨を逸脱しない範囲において任意に定めることが可能であり、例えば、構成要素の追加・削除・変換等を行うことができる。
【０１１２】
上記実施形態では、制御装置１０が備える入力手段の一例について説明した。しかし、制御装置１０は、例示した一部の入力手段を省略して構成されてもよく、上述しない他の入力手段を備えていてもよい。例えば、制御装置１０は、操作スティック、キーボード、マウス等を備えていてもよい。例えば、制御装置１０は、使用者の身体の動き等に対応付けられたコマンドを解釈する入力手段を備えていてもよい。使用者の身体の動き等とは、例えば、視線を検出する視線検出、手の動きを検出するジェスチャー検出、足の動きを検出するフットスイッチ等により取得できる。なお、視線検出は、例えば、画像表示部２０の内側を撮像するカメラにより実現できる。ジェスチャー検出は、例えば、カメラ６１により経時的に撮影された画像を画像解析することにより実現できる。
【０１１３】
上記実施形態では、制御部１５０は、メインプロセッサー１４０が記憶部１２２内のコンピュータープログラムを実行することにより動作するとした。しかし、制御部１５０は種々の構成を採用することができる。例えば、コンピュータープログラムは、記憶部１２２に代えて、または記憶部１２２と共に、不揮発性記憶部１２１、ＥＥＰＲＯＭ２１５、メモリー１１８、他の外部記憶装置（各種インターフェイスに挿入されているＵＳＢメモリー等の記憶装置、ネットワークを介して接続されているサーバー等の外部装置を含む）に格納されていてもよい。また、制御部１５０の各機能は、当該機能を実現するために設計されたＡＳＩＣ（Application Specific Integrated Circuit）を用いて実現されてもよい。
【０１１４】
・変形例３：
上記実施形態では、画像表示部の構成について例示した。しかし、画像表示部の構成は、本発明の要旨を逸脱しない範囲において任意に定めることが可能であり、例えば、構成要素の追加・削除・変換等を行うことができる。
【０１１５】
図１７は、変形例の画像表示部が備える光学系の構成を示す要部平面図である。変形例の画像表示部では、使用者の右眼ＲＥに対応したＯＬＥＤユニット２２１ａと、左眼ＬＥに対応したＯＬＥＤユニット２４１ａと、が設けられている。右眼ＲＥに対応したＯＬＥＤユニット２２１ａは、白色で発色するＯＬＥＤパネル２２３ａと、ＯＬＥＤパネル２２３ａを駆動して発光させるＯＬＥＤ駆動回路２２５とを備えている。ＯＬＥＤパネル２２３ａと右光学系２５１との間には、変調素子２２７（変調装置）が配置されている。変調素子２２７は、例えば、透過型液晶パネルで構成され、ＯＬＥＤパネル２２３ａが発する光を変調して画像光Ｌを生成する。変調素子２２７を透過して変調された画像光Ｌは、右導光板２６によって右眼ＲＥに導かれる。
【０１１６】
左眼ＬＥに対応したＯＬＥＤユニット２４１ａは、白色で発光するＯＬＥＤパネル２４３ａと、ＯＬＥＤパネル２４３ａを駆動して発光させるＯＬＥＤ駆動回路２４５とを備えている。ＯＬＥＤパネル２４３ａと左光学系２５２との間には、変調素子２４７（変調装置）が配置されている。変調素子２４７は、例えば、透過型液晶パネルで構成され、ＯＬＥＤパネル２４３ａが発する光を変調して画像光Ｌを生成する。変調素子２４７を透過して変調された画像光Ｌは、左導光板２８によって左眼ＬＥに導かれる。変調素子２２７、２４７は、図示しない液晶ドライバー回路に接続される。この液晶ドライバー回路（変調装置駆動部）は、例えば変調素子２２７、２４７の近傍に配置される基板に実装される。
【０１１７】
変形例の画像表示部によれば、右表示ユニット２２および左表示ユニット２４は、それぞれ、光源部としてのＯＬＥＤパネル２２３ａ、２４３ａと、光源部が発する光を変調して複数の色光を含む画像光を出力する変調素子２２７、２４７と、を備える映像素子として構成される。なお、ＯＬＥＤパネル２２３ａ、２４３ａが発する光を変調する変調装置は、透過型液晶パネルが採用される構成に限定されない。例えば、透過型液晶パネルに代えて反射型液晶パネルを用いてもよいし、デジタル・マイクロミラー・デバイスを用いてもよいし、レーザー網膜投影型のＨＭＤ１００としてもよい。
【０１１８】
上記実施形態では、眼鏡型の画像表示部２０について説明したが、画像表示部２０の態様は任意に変更することができる。例えば、画像表示部２０を帽子のように装着する態様としてもよく、ヘルメット等の身体防護具に内蔵された態様としてもよい。また、画像表示部２０を、自動車や飛行機等の車両、またはその他の交通手段に搭載されるＨＵＤ（Head Up Display）として構成してもよい。
【０１１９】
上記実施形態では、画像光を使用者の眼に導く光学系として、右導光板２６および左導光板２８の一部に、ハーフミラー２６１、２８１により虚像が形成される構成を例示した。しかし、この構成は任意に変更することができる。たとえば、右導光板２６および左導光板２８の全面（または大部分）を占める領域に虚像が形成されてもよい。この場合、画像の表示位置を変化させる動作によって画像を縮小してもよい。また、本発明の光学素子は、ハーフミラー２６１、２８１を有する右導光板２６および左導光板２８に限定されず、画像光を使用者の眼に入射させる光学部品（例えば、回折格子、プリズム、ホログラフィー等）を用いる限り任意の態様を採用できる。
【０１２０】
・変形例４：
上記実施形態では、入出力制御について例示した。しかし、入出力制御における処理内容は、本発明の要旨を逸脱しない範囲において任意に定めることが可能である。
【０１２１】
上記実施形態では、選択されている候補の強調のために矩形の太枠で囲む形態を例示した。しかし、選択されている候補の強調は種々の態様で実施できる。例えば、選択されている候補（文字そのもの）について、選択されていない他の候補と比較して、表示を大きくする、表示の明るさを変化させる、表示位置を移動させる、表示形態を変化させる、等の手段を採用し得る。表示の明るさを変化させる場合、周囲の明るさに応じて、選択されている候補を明るくするか、暗くするかを変更してもよい。表示位置を移動させる場合、選択されている候補が十字表示の中央に移動し、選択されていない候補が十字表示の上下左右に移動するように、位置を変更してもよい。表示形態を変化させる場合、選択されている候補を黒抜き表示や白抜き表示にしてもよく、選択されている候補の書体を変化させてもよい。さらに、選択されている候補（文字そのもの）について、上述した強調表示と共に、または上述した強調表示に代えて、音声による報知を実施してもよい。そうすれば、使用者の視覚だけでなく、聴覚を用いて選択されている候補を強調することができる。
【０１２２】
・変形例５：
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【０１２３】
１０…制御装置、１１…ボタン、１２…ＬＥＤインジケーター、１３、１３ａ、１３ｂ…十字キー、１３ｃ…キー、１４…トラックパッド、１５…上下キー、１６…切替スイッチ、１８…電源スイッチ、１９…バイブレーター、２０…画像表示部、２１…右保持部、２２…右表示ユニット、２３…左保持部、２４…左表示ユニット、２６…右導光板、２７…前部フレーム、２８…左導光板、３０…ヘッドセット、３２…右イヤホン、３４…左イヤホン、４０…接続ケーブル、４６…コネクター、６１…カメラ、６３…マイク、６５…照度センサー、６７…ＬＥＤインジケーター、１１０…操作部、１１１…６軸センサー、１１３…磁気センサー、１１７…通信部、１１８…メモリー、１２０…コントローラー基板、１２１…不揮発性記憶部、１２２…記憶部、１２３…設定データー、１２４…コンテンツデーター、１３０…電源部、１３２…バッテリー、１３４…電源制御回路、１３５…左ボタン、１３６…右ボタン、１３７…上ボタン、１３８…下ボタン、１３９…決定ボタン、１４０…メインプロセッサー、１４５…画像処理部、１４７…表示制御部、１４９…撮像制御部、１５０…制御部、１５１…入出力制御部、１８０…音声コーデック、１８２…音声インターフェイス、１８４…外部コネクター、１８６…外部メモリーインターフェイス、１８８…ＵＳＢコネクター、１９２…センサーハブ、１９６…インターフェイス、２１０…表示ユニット基板、２１１…インターフェイス、２１３…受信部、２１５…ＥＥＰＲＯＭ、２１７…温度センサー、２２１、２２１ａ…ＯＬＥＤユニット、２２３、２２３ａ…ＯＬＥＤパネル、２２５…ＯＬＥＤ駆動回路、２２７…変調素子、２３０…表示ユニット基板、２３１…インターフェイス、２３３…受信部、２３５…６軸センサー、２３７…磁気センサー、２３９…温度センサー、２４１、２４１ａ…ＯＬＥＤユニット、２４３、２４３ａ…ＯＬＥＤパネル、２４５…ＯＬＥＤ駆動回路、２４７…変調素子、２５１…右光学系、２５２…左光学系、２６１…ハーフミラー、２８１…ハーフミラー
【図１】
0006776578.tif 000002
【図２】
0006776578.tif 000003
【図３】
0006776578.tif 000004
【図４】
0006776578.tif 000005
【図５】
0006776578.tif 000006
【図６】
0006776578.tif 000007
【図７】
0006776578.tif 000008
【図８】
0006776578.tif 000009
【図９】
0006776578.tif 000010
【図１０】
0006776578.tif 000011
【図１１】
0006776578.tif 000012
【図１２】
0006776578.tif 000013
【図１３】
0006776578.tif 000014
【図１４】
0006776578.tif 000015
【図１５】
0006776578.tif 000016
【図１６】
0006776578.tif 000017
【図１７】
0006776578.tif 000018